(57)【要約】【課題】画像音声出力装置が音声や内容の連続性を保って再生可能な音声データを供給すること。【解決手段】データ送受信手段は、画像音声出力装置の音声データ用バッファーの残量データを受信する。バッファー残量チェック手段は、残量データからバッファーの残量を求める。周波数選択手段は、画像音声出力装置が音声データを途切れることなく出力可能なデータバッファーメモリーのデータ量の割合の範囲の下限値或いは上限値と、バッファーの残量に対する音声データの割合とを比較して、送信音声データのサンプリング周波数を選択し、音声データ変換手段は、選択されたサンプリング周波数で送信音声データを変換する。データ送受信手段は変換された音声データを画像音声出力装置に送信する。【選択図】図１
2010197957.tif 000002
【特許請求の範囲】
【請求項１】
音声データと画像データとを出力する画像音声出力装置に接続される画像音声供給装置であって、
前記画像音声出力装置に備えられたデータバッファーメモリーの残量を表す残量データを前記画像音声出力装置から受信するバッファー残量データ受信手段と、
前記データバッファーメモリーの残量に対する送信対象の音声データの割合の下限値及び上限値を記憶する記憶手段と、
前記バッファー残量データ受信手段が受信した残量データに基づいて、前記画像音声出力装置のデータバッファーメモリーの残量に対する前記送信対象の音声データの割合を算出し、この算出された割合と、前記記憶手段に記憶された下限値或いは上限値とを比較して、比較結果に応じて前記音声データのサンプリング周波数を選択する周波数選択手段と、
前記周波数選択手段によって選択されたサンプリング周波数で前記送信対象の音声データを変換するデータ変換手段と、
前記変換された音声データを前記画像音声出力装置に送信するデータ送信手段と、
を備えることを特徴とする画像音声供給装置。
【請求項２】
前記周波数決定手段は、
前記画像音声供給装置のデータバッファーメモリーの残量データが、前記下限値より小さい場合は、サンプリング周波数を下げ、
前記画像音声供給装置のデータバッファーメモリーの残量データが、前記上限値より大きい場合は、サンプリング周波数を上げることを特徴とする請求項１記載の画像音声供給装置。
【請求項３】
前記サンプリング周波数が下げられた場合に、前記下限値を、当該下限値よりも小さな値である第２の下限値に変更し、前記サンプリング周波数が上げられた場合に、前記上限値を、当該上限値よりも大きな値である第２の上限値に変更する判定基準変更手段
を更に備えることを特徴とする請求項２記載の画像音声供給装置。
【請求項４】
画像音声供給装置から送信される画像データと音声データを出力する画像音声出力装置であって、
前記画像音声供給装置から送信される音声データを記憶するデータバッファーメモリーと、
前記データバッファーメモリーの残量に対する音声データの割合の下限値及び上限値を記憶する記憶手段と、
前記データバッファーメモリーの残量を検出する手段と、
前記データバッファーメモリーの残量に対する前記データバッファーメモリーに記憶された音声データの割合と、前記記憶手段に記憶された下限値或いは前記上限値とを比較して、比較結果に応じて前記音声データのサンプリング周波数を選択する周波数選択手段と、
前記選択されたサンプリング周波数で前記音声データを変換するデータ変換手段と、
前記変換された音声データをもとに音声を出力する音声出力手段と
を備えることを特徴とする画像音声出力装置。
【請求項５】
音声データと画像データとを出力する画像音声出力装置に接続される画像音声供給装置における画像音声供給方法であって、
バッファー残量データ受信手段が、前記画像音声出力装置に備えられたデータバッファーメモリーの残量を表す残量データを前記画像音声出力装置から受信し、
周波数選択手段が、前記バッファー残量データ受信手段が受信した残量データに基づいて、前記画像音声出力装置のデータバッファーメモリーの残量に対する前記送信対象の音声データの割合を算出し、この算出された割合と、前記データバッファーメモリーの残量に対する送信対象の音声データの割合の下限値及び上限値を記憶する記憶手段に記憶された下限値或いは上限値とを比較して、比較結果に応じて前記音声データのサンプリング周波数を選択し、
データ変換手段が、前記周波数選択手段によって選択されたサンプリング周波数で前記送信対象の音声データを変換し、
データ送信手段が、前記変換された音声データを前記画像音声出力装置に送信する
ことを特徴とする画像音声供給方法。
【請求項６】
音声データと画像データとを出力する画像音声出力装置に接続されるコンピューターを、
前記画像音声出力装置に備えられたデータバッファーメモリーの残量を表す残量データを前記画像音声出力装置から受信するバッファー残量データ受信手段、
前記バッファー残量データ受信手段が受信した残量データに基づいて、前記画像音声出力装置のデータバッファーメモリーの残量に対する前記送信対象の音声データの割合を算出し、この算出された割合と、前記データバッファーメモリーの残量に対する送信対象の音声データの割合の下限値及び上限値を記憶する記憶手段に記憶された下限値或いは上限値とを比較して、比較結果に応じて前記音声データのサンプリング周波数を選択する周波数選択手段、
前記周波数選択手段によって選択されたサンプリング周波数で前記送信対象の音声データを変換するデータ変換手段、
前記変換された音声データを前記画像音声出力装置に送信するデータ送信手段、
として機能させるためのプログラム。
【請求項７】
画像音声供給装置から送信される画像データと音声データを出力する画像音声出力装置における画像音声出力方法であって、
検出手段が、前記画像音声供給装置から送信される音声データを記憶するデータバッファーメモリーの残量を検出し、
周波数選択手段が、前記データバッファーメモリーの残量に対する前記データバッファーメモリーに記憶された音声データの割合と、前記データバッファーメモリーの残量に対する音声データの割合の下限値及び上限値を記憶する記憶手段に記憶された下限値或いは前記上限値とを比較して、比較結果に応じて前記音声データのサンプリング周波数を選択し、
データ変換手段が、前記選択されたサンプリング周波数で前記音声データを変換し、
音声出力手段が、前記変換された音声データをもとに音声を出力する
ことを特徴とする画像音声出力方法。
【請求項８】
画像音声供給装置から送信される画像データと音声データを出力する画像音声出力装置を制御するコンピューターに、
前記画像音声供給装置から送信される音声データを記憶するデータバッファーメモリーの残量を検出する手段、
前記データバッファーメモリーの残量に対する前記データバッファーメモリーに記憶された音声データの割合と、前記データバッファーメモリーの残量に対する音声データの割合の下限値及び上限値を記憶する記憶手段に記憶された下限値或いは前記上限値とを比較して、比較結果に応じて前記音声データのサンプリング周波数を選択する周波数選択手段、
前記選択されたサンプリング周波数で前記音声データを変換するデータ変換手段、
前記変換された音声データをもとに音声を出力する音声出力手段、
として機能させるためのプログラム。
【発明の詳細な説明】
【技術分野】
【０００１】
本発明は、画像音声供給装置によって供給された音声データを基に、画像音声出力装置が音声の連続性を保って音声を再生する技術に関する。
【背景技術】
【０００２】
近年、プロジェクターの普及が高まり、プロジェクターにコンピューター等を接続し、コンピューターから画像データ（動画、静止画）と音声データとを供給し、プロジェクターがそのデータを読み出して画像を表示するとともに、音声を再生することが増えてきた。
このような場合、一般的には、画像データ、音声データを供給する装置（例えば、コンピューター）から、画像データ、音声データを出力する装置（例えばプロジェクター）に対して一定のレートでデータ転送が行われるのが好ましいが、機器やネットワーク環境によっては、安定したデータ転送レートが保証されないため、プロジェクターにデータを一時格納するデータバッファーメモリーを備えるようにし、プロジェクターは、コンピューターから送信されバッファーに格納されたデータを読み出して再生することによって、安定した画像、音声を出力することができる。
【０００３】
とりわけ、音声出力が途切れると視聴者に対する知覚上の影響が大きいため、音声再生を確実に行うことが重要となるが、バッファーを備えているプロジェクターであっても、伝送路のデータ転送速度が低下してデータ転送が遅延し、バッファーのデータ不足が生じて再生する音声がないため音声出力が途絶える場合がある。
下記の特許文献１では、音声通信機器の送信側／受信側の間で再生周波数や再生速度に違いがある場合、受信側バッファーのバッファー蓄積量が予め決められた初期遅延量より大きくなった場合に音声出力を開始し、音切れが起こらないようにすることが記載されている。
【先行技術文献】
【特許文献】
【０００４】
【特許文献１】特開２００５−２５７７５０号公報
【発明の概要】
【発明が解決しようとする課題】
【０００５】
しかしながら、特許文献１では、ある程度バッファーにデータが蓄積されてから音声を出力するため、リアルタイム性に欠ける。例えば、プロジェクターの再生のように、画像に合った適切なタイミングで音声を再生する必要がある場合には適さないといった問題がある。
また、特許文献１における音声通信ではバッファーにおけるデータ蓄積量が多くなった場合は、データを破棄するため、音とびが生じて音声が不連続となり、視聴者に違和感を与える場合があるという問題がある。
本発明は、以上の点に鑑みてなされたものであり、画像と音声のデータを送信する画像音声供給装置と送信された画像と音声のデータを出力する画像音声出力装置において、画像音声供給装置から送信された音声データを画像音声出力装置が音声出力を途絶えなく連続性を持って再生する画像音声供給装置、画像音声出力装置、画像供給方法、画像音声出力方法、及びプログラムを提供することを目的とする。
【課題を解決するための手段】
【０００６】
上述した目的を達成するために本発明は、音声データと画像データとを出力する画像音声出力装置に接続される画像音声供給装置であって、前記画像音声出力装置に備えられたデータバッファーメモリーの残量を表す残量データを前記画像音声出力装置から受信するバッファー残量データ受信手段と、前記データバッファーメモリーの残量に対する送信対象の音声データの割合の下限値及び上限値を記憶する記憶手段と、前記バッファー残量データ受信手段が受信した残量データに基づいて、前記画像音声出力装置のデータバッファーメモリーの残量に対する前記送信対象の音声データの割合を算出し、この算出された割合と、前記記憶手段に記憶された下限値或いは上限値とを比較して、比較結果に応じて前記音声データのサンプリング周波数を選択する周波数選択手段と、前記周波数選択手段によって選択されたサンプリング周波数で前記送信対象の音声データを変換するデータ変換手段と、前記変換された音声データを前記画像音声出力装置に送信するデータ送信手段と、を備えることを特徴とする。
【０００７】
また、本発明は、前記周波数決定手段は、前記画像音声供給装置のデータバッファーメモリーの残量データが、前記下限値より小さい場合は、サンプリング周波数を下げ、前記画像音声供給装置のデータバッファーメモリーの残量データが、前記上限値より大きい場合は、サンプリング周波数を上げることを特徴とする。
また、本発明は、前記サンプリング周波数が下げられた場合に、前記下限値を、当該下限値よりも小さな値である第２の下限値に変更し、前記サンプリング周波数が上げられた場合に、前記上限値を、当該上限値よりも大きな値である第２の上限値に変更する判定基準変更手段を更に備えることを特徴とする。
【０００８】
また、本発明は、画像音声供給装置から送信される画像データと音声データを出力する画像音声出力装置であって、前記画像音声供給装置から送信される音声データを記憶するデータバッファーメモリーと、前記データバッファーメモリーの残量に対する音声データの割合の下限値及び上限値を記憶する記憶手段と、前記データバッファーメモリーの残量を検出する手段と、前記データバッファーメモリーの残量に対する前記データバッファーメモリーに記憶された音声データの割合と、前記記憶手段に記憶された下限値或いは前記上限値とを比較して、比較結果に応じて前記音声データのサンプリング周波数を選択する周波数選択手段と、前記選択されたサンプリング周波数で前記音声データを変換するデータ変換手段と、前記変換された音声データをもとに音声を出力する音声出力手段とを備えることを特徴とする。
【０００９】
また、本発明は、音声データと画像データとを出力する画像音声出力装置に接続される画像音声供給装置における画像音声供給方法であって、バッファー残量データ受信手段が、前記画像音声出力装置に備えられたデータバッファーメモリーの残量を表す残量データを前記画像音声出力装置から受信し、周波数選択手段が、前記バッファー残量データ受信手段が受信した残量データに基づいて、前記画像音声出力装置のデータバッファーメモリーの残量に対する前記送信対象の音声データの割合を算出し、この算出された割合と、前記データバッファーメモリーの残量に対する送信対象の音声データの割合の下限値及び上限値を記憶する記憶手段に記憶された下限値或いは上限値とを比較して、比較結果に応じて前記音声データのサンプリング周波数を選択し、データ変換手段が、前記周波数選択手段によって選択されたサンプリング周波数で前記送信対象の音声データを変換し、データ送信手段が、前記変換された音声データを前記画像音声出力装置に送信することを特徴とする。
【００１０】
また、本発明は、音声データと画像データとを出力する画像音声出力装置に接続されるコンピューターを、前記画像音声出力装置に備えられたデータバッファーメモリーの残量を表す残量データを前記画像音声出力装置から受信するバッファー残量データ受信手段、
前記バッファー残量データ受信手段が受信した残量データに基づいて、前記画像音声出力装置のデータバッファーメモリーの残量に対する前記送信対象の音声データの割合を算出し、この算出された割合と、前記データバッファーメモリーの残量に対する送信対象の音声データの割合の下限値及び上限値を記憶する記憶手段に記憶された下限値或いは上限値とを比較して、比較結果に応じて前記音声データのサンプリング周波数を選択する周波数選択手段、前記周波数選択手段によって選択されたサンプリング周波数で前記送信対象の音声データを変換するデータ変換手段、前記変換された音声データを前記画像音声出力装置に送信するデータ送信手段、として機能させるためのプログラムである。
【００１１】
また、本発明は、画像音声供給装置から送信される画像データと音声データを出力する画像音声出力装置における画像音声出力方法であって、検出手段が、前記画像音声供給装置から送信される音声データを記憶するデータバッファーメモリーの残量を検出し、周波数選択手段が、前記データバッファーメモリーの残量に対する前記データバッファーメモリーに記憶された音声データの割合と、前記データバッファーメモリーの残量に対する音声データの割合の下限値及び上限値を記憶する記憶手段に記憶された下限値或いは前記上限値とを比較して、比較結果に応じて前記音声データのサンプリング周波数を選択し、データ変換手段が、前記選択されたサンプリング周波数で前記音声データを変換し、音声出力手段が、前記変換された音声データをもとに音声を出力することを特徴とする。
【００１２】
また、本発明は、画像音声供給装置から送信される画像データと音声データを出力する画像音声出力装置を制御するコンピューターに、前記画像音声供給装置から送信される音声データを記憶するデータバッファーメモリーの残量を検出する手段、前記データバッファーメモリーの残量に対する前記データバッファーメモリーに記憶された音声データの割合と、前記データバッファーメモリーの残量に対する音声データの割合の下限値及び上限値を記憶する記憶手段に記憶された下限値或いは前記上限値とを比較して、比較結果に応じて前記音声データのサンプリング周波数を選択する周波数選択手段、前記選択されたサンプリング周波数で前記音声データを変換するデータ変換手段、前記変換された音声データをもとに音声を出力する音声出力手段、として機能させるためのプログラムである。
【００１３】
ここで、画像音声供給装置とは、例えばコンピューター装置等であり、画像データと音声データとを外部に接続される機器（ここでは、画像音声出力装置）に送信する機能を揺するものである。画像音声出力装置とは、例えば画像と音声とを出力する機能を有するプロジェクター等である。画像音声供給装置は、音声データを送信する前に、画像音声出力装置の音声用のデータバッファーメモリーの残量をチェックし、その残量に合わせて音声データ量を変換して送信する。そのため、画像音声出力装置では、音途切れや音飛びといった問題なく音声を再生することが可能となる。
【００１４】
以上説明した発明によれば、画像音声出力装置は、画像音声供給装置が記憶する音声データ量を変えることなく、画像音声供給装置から送信された音声データを、途切れることなく音声の連続性を保って再生することが可能である。
【図面の簡単な説明】
【００１５】
【図１】画像再生システムの機能ブロック図である。
【図２】画像音声供給装置の機能ブロック図である。
【図３】音声データ供給再生処理の流れを示すフローチャートである。
【図４】第２の実施形態にかかる画像音声供給装置の機能ブロック図である。
【図５】音声データ供給再生処理の流れを示すフローチャートである。
【図６】音声データ供給再生処理の流れを示すフローチャートである。
【発明を実施するための形態】
【００１６】
以下に、添付図面を参照しながら、本発明に係る画像音声供給装置および画像音声出力装置の好適な実施形態について詳細に説明する。なお、以下の説明および添付図面において、略同一の機能構成を有する構成要素については、同一の符号を付することにより重複説明を省略する。
【００１７】
図１は、画像再生システムの機能ブロック図である。画像再生システム１は、画像音声供給装置であるコンピューター３と画像音声出力装置であるプロジェクター５とから構成される。コンピューター３とプロジェクター５は、ネットワークケーブル６でデータ送受信可能に接続される。ネットワークケーブル６は、ＬＡＮケーブルでもよいし、ＵＳＢケーブル等でもよい。
コンピューター３は、画像データと音声データを記憶し、自身でも再生することが可能である。コンピューター３は、ネットワークケーブル６を介して画像データと音声データをプロジェクター５に送信し、プロジェクター５は、送信されたデータを基に画像を出力するとともに音声を出力する。以下の説明では、音声データの送信、再生について説明する。
【００１８】
コンピューター３は、制御部３１、記憶部３２、音声データ用バッファー３３、入力部３４、出力部３５、ネットワーク通信部３６を有する。制御部３１は、中央演算処理装置（ＣＰＵ）やマイクロプロセッサ等であり、コンピューター３の各部の制御や後述する処理を行う。記憶部３２は、不揮発性メモリー、揮発性メモリー、ハードディスクといった記憶装置であり、送信すべき音声データ、後述の処理に必要なデータ等を記憶する。音声データ用バッファー３３は送信する音声データを格納するデータバッファーメモリーである。入力部３４は、キーボードやマウスといった入力装置である。出力部３５は、ディスプレイ装置やスピーカなどの音声出力装置等である。ネットワーク通信部３６は、ネットワークケーブル６を介してプロジェクター５とのデータの送受信を行う。
【００１９】
プロジェクター５は、制御部５１、記憶部５２、音声データ用バッファー５３、入力部３４、出力部５５、ネットワーク通信部５６を有する。制御部５１は、中央演算処理装置やマイクロプロセッサ等であり、他の各部の制御や後述する処理を行う。記憶部５２は、不揮発性メモリー、揮発性メモリー、ハードディスクといった記憶装置である。音声データ用バッファー５３は、コンピューター３から送信された音声データを格納するデータバッファーメモリーである。入力部３４は、プロジェクター６を操作するための操作ボタン等の入力装置である。出力部３５は、投影装置やスピーカなどの音声出力装置等である。ネットワーク通信部３６は、ネットワークケーブル６を介してコンピューター３とのデータ送受信を行う装置である。
【００２０】
図２は、コンピューター３の制御部３１の機能ブロック構成図を示す図である。
制御部３１は、インターフェイス１００、データ送受信手段１０１、バッファー残量チェック手段１０２、周波数選択手段１０３、音声データ変換手段１０４を有する。
コンピューター３の記憶部３２、音声データ用バッファー３３、入力部３４、出力部３５、ネットワーク通信部３６は、インターフェイス１００を介して、各処理機能部であるデータ送受信手段１０１、バッファー残量チェック手段１０２、周波数選択手段１０３、音声データ変換手段１０４に接続され、処理を行う。各手段の処理内容は以下に詳細に説明する。
【００２１】
図３は、音声データ供給再生処理のフローチャートである。
コンピューター３がプロジェクター５にネットワークケーブル６を介して接続され、コンピューター３の記憶部３２に記憶された動画を再生し、プロジェクター５に動画を再生するためのデータが供給される場合について説明する。
図３に示す処理は、コンピューター３とプロジェクター５のそれぞれの処理を示している。コンピューター３が音声データ用バッファー３３に格納した送信音声データをプロジェクター５に送信し、プロジェクター５が受信した送信音声データを音声データ用バッファー５３に格納し、再生することを繰り返すことにより、プロジェクター５は、画像を出力するとともに、音声を再生する。
【００２２】
コンピューター３の制御部３１のデータ送受信手段１０１は、プロジェクター５から音声データ用バッファー５３の残量を示す残量データを受信する（ステップＳ２０１）。バッファー残量チェック手段１０２は、受信した残量データを基に音声データ用バッファー５３の残量を求める。周波数選択手段１０３は、算出された音声データ用バッファー５３の残量に対する送信音声データ量の割合Ｒを算出し、算出された割合Ｒと記憶部３２に記憶された不足しきい値ＲＬＬＯ、余剰しきい値ＲＬＨＩとを比較する（ステップＳ２０２）。
【００２３】
ここで、不足しきい値ＲＬＬＯはプロジェクター５が音声を途切れることなく出力可能な音声データ用バッファー５３のデータ量割合の範囲の下限値であり、バッファー量に対する音声データ量の割合がこの下限値より小さい場合は、再生するデータが不足して、音声が途切れることとなる。また、余剰しきい値ＲＬＨＩはプロジェクター５が音声を途切れることなく出力可能な音声データ用バッファー５３のデータ量割合の範囲の上限値であり、バッファー量に対する音声データ量の割合がこの上限値より大きい場合は、再生するデータが余剰となり、音声データの読み飛ばし（音とび）が発生し、音声内容の連続性が保たれなくなる。逆に、音声データ用バッファー５３に対する音声データ量が、この下限値から上限値の範囲にあれば、プロジェクター５は途切れることなく、音とびもなく、音声を再生することが可能となる。
【００２４】
ステップＳ２０２において、周波数選択手段１０３は、音声データ用バッファー５３の残量に対する送信音声データ量の割合Ｒが不足しきい値ＲＬＬＯより小さい場合（ＲＬＬＯ＜Ｒ）、サンプリング周波数ＦＬＯを選択する。音声データ変換手段１０４は、そのサンプリング周波数ＦＬＯで送信音声データを変換する（ステップＳ２０３）。ここで、サンプリング周波数ＦＬＯは、通常のサンプリング周波数ＦＭＩＤより小さく、サンプリング周波数ＦＬＯを用いて音声データを変換することは音声データを時間的に引き伸ばすこととなる。
なお、不足しきい値ＲＬＬＯ、サンプリング周波数ＦＭＩＤ、ＦＬＯは予め決められてあり、記憶部３２等に記憶されている。
【００２５】
また、ステップＳ２０２において、周波数選択手段１０３は、音声データ用バッファー５３の残量に対する送信音声データ量の割合Ｒが余剰しきい値ＲＬＨＩより大きい場合（ＲＬＨＩ＜Ｒ）、サンプリング周波数ＦＨＩを選択する。音声データ変換手段１０４は、そのサンプリング周波数ＦＨＩで送信音声データを変換する（ステップＳ２０５）。ここで、サンプリング周波数ＦＨＩは、通常のサンプリング周波数ＦＭＩＤより大きく、サンプリング周波数ＦＨＩを用いて音声データを変換することは音声データを時間的に短縮することとなる。
なお、余剰しきい値ＲＬＨＩとサンプリング周波数ＦＨＩは予め決められてあり、記憶部３２等に記憶されている。
【００２６】
また、ステップＳ２０２において、周波数選択手段１０３は、音声データ用バッファー５３の残量に対する送信音声データ量の割合Ｒが、下限値である不足しきい値ＲＬＨＩと上限値である余剰しきい値ＲＬＨＩの範囲内である場合（ＲＬＨＩ≦Ｒ≦ＲＬＨＩ）、通常のサンプリング周波数ＦＭＩＤを選択する。音声データ変換手段１０４は、そのサンプリング周波数ＦＭＩＤで送信音声データを変換する（ステップＳ２０４）。
【００２７】
例えば、不足しきい値ＲＬＬＯを６０（％）、余剰しきい値ＲＬＨＩを１００（％）とした場合、音声データ用バッファー５３の残量に対する送信音声データ量の割合Ｒが４０（％）であれば音声データ変換手段１０４はサンプリング周波数ＦＬＯで送信音声データを変換し、音声データ用バッファー５３の残量に対する送信音声データ量の割合Ｒが８０（％）であれば音声データ変換手段１０４はサンプリング周波数ＦＭＩＤで送信音声データを変換し、音声データ用バッファー５３の残量に対する送信音声データ量の割合Ｒが１１０（％）であれば音声データ変換手段１０４はサンプリング周波数ＦＨＩで送信音声データを変換することとなる。
【００２８】
音声データ変換手段１０４は、変換した送信音声データを音声データ用バッファー３３に格納して送信準備し（ステップＳ２０６）、データ送受信手段１０１は、送信音声データをプロジェクター５に送信する（ステップＳ２０７）。
プロジェクター５は、送信された送信音声データを音声データ用バッファー５３に格納し（ステップＳ３０１）、音声データの再生処理を行う（ステップＳ３０２）。次に、プロジェクター５は、音声データ用バッファー５３の残量をチェックし（ステップＳ３０３）、バッファー残量データを作成し送信する準備を行い（ステップＳ３０４）、バッファー残量データをコンピューター３に対して送信する（ステップＳ３０５）。そして、プロジェクター５は、ステップＳ２０１に移行し、再生対象となる音声データが全て再生されるまで、ステップＳ２０１からステップＳ３０５の処理を繰り返す。
【００２９】
この実施形態によれば、コンピューター３が、音声データを送信する前に、画像音声出力装置であるプロジェクター５の音声データ用バッファー５３の残量をチェックし、残量に応じたサンプリング周波数を選択して当該音声データを変換して送信することで、プロジェクター５に音途切れや音とびをすることなく音声を再生させることができ、画像データとリアルタイムに連動させて再生可能となる。
また、オリジナルのコンピューター３側の音声データは変わることがないので、コンピューター３はそのままの音声データを読み出して再生すればよい。
【００３０】
なお、本実施形態では、プロジェクター５が音声を途切れることなく出力可能な音声データ用バッファー５３のデータ量の割合の上限値、下限値、音声データ用バッファー５３の残量に対する送信音声データの割合というように割合を用いたが、割合ではなく、データ量を用いても同様の処理を行うことができ、同様の効果が得られる。
また、本実施の形態では、コンピューター３が図２に示すバッファー残量チェック手段１０２、周波数選択手段１０３、音声データ変換手段１０４の処理を行ったが、この機能をプロジェクター５で行ってもよい。すなわち、プロジェクター５は、コンピューター３から音声データを受信し、自身の音声データ用バッファー５３の残量をチェックし、上記のような処理を行い、その残量に適合するように音声データを変換して再生することも可能である。
【００３１】
次に、第２の実施形態について説明する。図４は、第２の実施の形態にかかるコンピューター３の制御部３１の機能ブロック図、図５は、第２の実施形態にかかる音声データ供給再生処理のフローチャートである。
図４は、図２に示す構成図とほぼ同じであるが、異なるのは、判定基準変更手段１０５が設けられている点である。
図５に示すフローチャートは図３に示すフローチャートとほぼ同じであるが、異なるのは、ステップＳ４０１とステップＳ４０２が追加された点である。
【００３２】
ステップＳ２０２において、音声データ用バッファー５３の残量に対する送信音声データ量の割合Ｒが不足しきい値ＲＬＬＯより小さい場合（ＲＬＬＯ＜Ｒ）、音声データ変換手段１０４は、サンプリング周波数ＦＬＯで送信音声データを変換し（ステップＳ２０３）、判定基準変更手段１０５は、不足しきい値ＲＬＬＯを不足しきい値ＲＬＬＯＮに変更する（ステップＳ４０１）。
【００３３】
また、ステップＳ２０２で音声データ用バッファー５３の残量に対する送信音声データ量の割合Ｒが余剰しきい値ＲＬＨＩより大きい場合（ＲＬＨＩ＜Ｒ）、音声データ変換手段１０４は、サンプリング周波数ＦＨＩで送信音声データを変換し（ステップＳ２０５）、判定基準変更手段１０５は、余剰しきい値ＲＬＨＩを余剰しきい値ＲＬＨＩＮに変更する（ステップＳ４０２）。
【００３４】
このように判定基準変更手段１０５は、サンプリング周波数が変更されたときに、その傾向があるものとして、判定基準である下限値の不足しきい値ＲＬＬＯと、上限値である余剰しきい値ＲＬＨＩを変更する。不足しきい値ＲＬＬＯＮ、余剰しきい値ＲＬＬＯＮは予め決められて記憶部３２に記憶されてもよいし、不足しきい値ＲＬＬＯと余剰しきい値ＲＬＨＩからの増減分を記憶部３２に記憶し、算出することも可能である。
【００３５】
次に、本発明の第３の実施形態について説明する。図６は、第３の実施形態にかかる音声データ供給再生処理のフローチャートである。図６に示すフローチャートは図５に示すフローチャートとほぼ同じであるが、異なるのは、ステップＳ５０１とステップＳ５０２が追加された点である。
【００３６】
ステップＳ２０２において、音声データ用バッファー５３の残量に対する送信音声データ量の割合Ｒが不足しきい値ＲＬＬＯより小さい場合（ＲＬＬＯ＜Ｒ）、音声データ変換手段１０４は、サンプリング周波数ＦＬＯで送信音声データを変換する（ステップＳ２０３）。ステップＳ５０１において、判定基準変更手段１０５が、ステップＳ２０３がＮ回以上続いたかどうかを判定し、Ｎ内以上続いた場合に（ステップＳ５０１で「ＹＥＳ」）、不足しきい値ＲＬＬＯを不足しきい値ＲＬＬＯＮに引き下げる（ステップＳ４０１）。また、ステップＳ５０１でステップＳ２０３がＮ回以上続いたと判定されない場合（ステップＳ５０１で「Ｎｏ」）、不足しきい値はそのままである。
【００３７】
また、ステップＳ２０２で音声データ用バッファー５３の残量に対する送信音声データ量の割合Ｒが余剰しきい値ＲＬＨＩより大きい場合（ＲＬＨＩ＜Ｒ）、音声データ変換手段１０４は、サンプリング周波数ＦＨＩで送信音声データを変換する（ステップＳ２０５）。ステップＳ５０２では、判定基準変更手段１０５が、ステップＳ２０５がＮ回以上続いたか否かを判定し、Ｎ回以上続いた場合に（ステップＳ５０２で「ＹＥＳ」）、判定基準変更手段１０５は、余剰しきい値ＲＬＨＩを余剰しきい値ＲＬＨＩＮに変更する（ステップＳ４０２）。また、ステップＳ５０２でステップＳ２０５がＮ回以上続いたと判定されない場合（ステップＳ５０２で「Ｎｏ」）、余剰しきい値はそのままである。
【００３８】
このように判定基準変更手段１０５は、サンプリング周波数が連続してＮ回変更されたときに、その傾向があるものとして、判定基準である下限値の不足しきい値ＲＬＬＯと、上限値である余剰しきい値ＲＬＨＩを変更する。なお、このＮというしきい値は適宜決めて、予め記憶部３２等に記憶させておくことが可能である。
【００３９】
以上説明したコンピューター３の制御部３１による音声データ送信再生処理を実現するプログラムを作成し、汎用のコンピューターがそのプログラムを読み込んで画像音声供給装置を実現することも可能である。このプログラムは、ＣＤ−ＲＯＭ等の記録媒体に記録されてもよいし、ネットワークを介して流通させることも可能である。
以上、添付図面を参照しながら、本発明に係る画像音声供給装置、画像音声出力装置、音声再生方法、及びプログラムの好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【産業上の利用可能性】
【００４０】
画像音声出力装置は、画像音声供給装置が記憶する音声データ量を変えることなく、画像音声供給装置から送信された音声データを、途切れることなく、内容の連続性を保って再生可能であり、視聴者にとって違和感なく画像とリアルタイムに連動した音声を楽しむことが可能となる。画像音声供給装置としてコンピューター、画像音声出力装置としてプロジェクターでもよいし、プロジェクター自身がバッファーの残量に適当に合わせて音声データを変換し、再生することも可能である。
【符号の説明】
【００４１】
１  画像再生システム
３  コンピューター
５  プロジェクター
３１  制御部
３２  記憶部
３３  音声データ用バッファー
３４  入力部
３５  出力部
３６  ネットワーク通信部
５１  制御部
５２  記憶部
５３  音声データ用バッファー
５４  入力部
５５  出力部
５６  ネットワーク通信部
１０１  データ送受信手段
１０２  バッファー残量チェック手段
１０３  周波数選択手段
１０４  音声データ変換手段
１０５  判定基準変更手段
【図１】
2010197957.tif 000003
【図２】
2010197957.tif 000004
【図３】
2010197957.tif 000005
【図４】
2010197957.tif 000006
【図５】
2010197957.tif 000007
【図６】
2010197957.tif 000008